(57)【要約】【課題】本発明の目的は、コンテンツを再生する際に、再生環境に応じた周辺機器の制御を容易に行うことが可能な装置を提供することである。【解決手段】復号するときに基準となる同期情報を時刻合わせするために参照される参照値を付加する形式で、動画コンテンツを符号化する手段（２１０，２２０）と、前記参照値を付加する形式のパックを生成する手段（２３０）と、前記符号化された動画コンテンツを復号化する手段（２６０）と、前記復号化された動画コンテンツを表示する表示装置周辺の環境を形成する環境形成装置を、前記表示装置に表示される動画コンテンツと同期制御させるための制御データを前記パックに書き込む手段（４００）とを備える情報処理装置。【選択図】      図２
2004229039.tif 000002
【特許請求の範囲】
【請求項１】
復号するときに基準となる同期情報を時刻合わせするために参照される参照値を付加する形式で、動画コンテンツを符号化する手段と、
前記参照値を付加する形式のパックを生成する手段と、
前記符号化された動画コンテンツを復号化する手段と、
前記復号化された動画コンテンツを表示する表示装置周辺の環境を形成する環境形成装置を、前記表示装置に表示される動画コンテンツと同期制御させるための制御データを前記パックに書き込む手段と
を備える情報処理装置。
【請求項２】
前記制御データが書き込まれたパックによって制御される環境形成装置は、前記制御データが書き込まれたパックが有する参照値によって、前記表示装置に表示される動画コンテンツと同期が取れることを特徴とする請求項１記載の情報処理装置。
【請求項３】
前記生成されたパックと前記符号化された動画コンテンツを記録する記録手段をさらに備え、
前記記録手段は、前記生成されたパックと前記符号化された動画コンテンツを多重化された形で記録することを特徴とする請求項１記載の情報処理装置。
【請求項４】
前記同期制御させるための制御データを生成するために、前記表示装置に前記環境形成装置を表示させる手段をさらに備えることを特徴とする請求項１記載の情報処理装置。
【請求項５】
復号するときに基準となる同期情報を時刻合わせするために参照される参照値を付加する形式で、動画コンテンツを符号化し、
前記参照値を付加する形式のパックを生成し、
前記符号化された動画コンテンツを復号化し、
前記復号化された動画コンテンツを表示する表示装置周辺の環境を形成する環境形成装置を、前記表示装置に表示される動画コンテンツと同期制御させるための制御データを前記パックに書き込む情報処理方法。
【発明の詳細な説明】
【０００１】
【発明の属する技術分野】
本発明は、動画データ等のコンテンツデータを再生する装置に関し、特に、コンテンツデータに加えて照明機器等の周辺環境機器も同時に制御して、臨場感を上げることのできる装置に関する。
【０００２】
【従来の技術】
従来のＤＶＤ形式のオーディオ・ビデオデータ（ＡＶデータ）を記録する装置では、ビデオオブジェクトユニット（ＶＯＢＵ）単位で空白領域を挟み込みながらＡＶデータを記録していた。そして、この空白領域に編集後のＡＶデータを書き込むことによって、この編集後のＡＶデータについてもシームレス再生をすることが可能となっている（例えば特許文献１参照）。
【０００３】
【特許文献１】
特開平１１−１６２１１９号公報（第１３頁、図７〜８）
【０００４】
【発明が解決しようとする課題】
一方、動画データ等のコンテンツ再生時の臨場感をあげるために、ユーザは、照明機器等の周辺環境機器を制御したい場合がある。
しかし、再生する周辺環境は、ユーザ毎に異なる。このため、ユーザは自身の再生環境に応じて、周辺環境機器の制御データを作成し、コンテンツデータに追加する必要がある。
【０００５】
本発明の目的は、コンテンツを再生する際に、再生環境に応じた周辺機器の制御を容易に行うことが可能な装置を提供することである。
【０００６】
【課題を解決するための手段】
第１の発明は、復号するときに基準となる同期情報を時刻合わせするために参照される参照値を付加する形式で、動画コンテンツを符号化する手段と、前記参照値を付加する形式のパックを生成する手段と、前記符号化された動画コンテンツを復号化する手段と、前記復号化された動画コンテンツを表示する表示装置周辺の環境を形成する環境形成装置を、前記表示装置に表示される動画コンテンツと同期制御させるための制御データを前記パックに書き込む手段とを備える情報処理装置である。
【０００７】
第２の発明は、前記制御データが書き込まれたパックによって制御される環境形成装置は、前記制御データが書き込まれたパックが有する参照値によって、前記表示装置に表示される動画コンテンツと同期が取れることを特徴とする第１の発明記載の情報処理装置である。
【０００８】
第３の発明は、前記生成されたパックと前記符号化された動画コンテンツを記録する記録手段をさらに備え、前記記録手段は、前記生成されたパックと前記符号化された動画コンテンツを多重化された形で記録することを特徴とする第１の発明記載の情報処理装置である。
【０００９】
第４の発明は、前記同期制御させるための制御データを生成するために、前記表示装置に前記環境形成装置を表示させる手段をさらに備えることを特徴とする第１の発明記載の情報処理装置である。
【００１０】
第５の発明は、復号するときに基準となる同期情報を時刻合わせするために参照される参照値を付加する形式で、動画コンテンツを符号化し、前記参照値を付加する形式のパックを生成し、前記符号化された動画コンテンツを復号化し、前記復号化された動画コンテンツを表示する表示装置周辺の環境を形成する環境形成装置を、前記表示装置に表示される動画コンテンツと同期制御させるための制御データを前記パックに書き込む情報処理方法である。
【００１１】
【発明の実施の形態】
以下、本発明の実施の形態について図面を参照しながら説明する。ここで、説明の簡略化のため、ＭＰＥＧ（Ｍｏｖｉｎｇ  Ｐｉｃｔｕｒｅ  Ｅｘｐｅｒｔｓ  Ｇｒｏｕｐ）２形式で圧縮された映像及び音声などの動画コンテンツをホームサーバで再生する場合について説明する。
【００１２】
図１は、本実施形態に係るホームサーバが適用される部屋内の全体構成を示す概略図である。動画コンテンツデータをホームサーバ（再生装置）１２０で再生すると、テレビ１２０、スピーカー１３０などで動画コンテンツが再生・出力される。図１ではさらに、このコンテンツが再生される部屋内には、照明機器１４０、エアコン１５０及び電動マッサージチェア１７０等の環境形成装置が設けられている。
【００１３】
図２は、ホームサーバ１１０の概略構成図である。以下では、説明の都合上、動画コンテンツの符号化時、環境形成装置用の制御データ（Ｃパック）への書き込み時、及び、動画コンテンツの再生時に分けて説明する。これら動作全体の制御を行うのがマイクロコンピュータ部４００であり、ＭＰＵ（Ｍｉｃｒｏ  Ｐｒｏｃｅｓｓｉｎｇ  Ｕｎｉｔ）４１０と、プログラム実行に必要なワークエリアを提供するためのＲＡＭ（Ｒａｍｄｏｍ  Ａｃｃｅｓｓ  Ｍｅｍｏｒｙ）４２０で構成されている。
【００１４】
（動画コンテンツの符号化時）
ユーザが撮影した動画コンテンツのビデオ（Ｖ）データ及びオーディオ（Ａ）データそれぞれが、Ｖエンコーダ２１０及びＡエンコーダ２２０に入力され、ＭＰＥＧ２形式にエンコード（符号化）され、パックとなる。これらのパックは、パックヘッダと１個以上のパケット部とで構成され、パケット部はパケットヘッダとパケット化されたデータ部とで構成されている。パックヘッダには、ＳＴＣが生成する同期情報信号（後述）の時刻合わせをする時に参照するシステム時刻基準参照値（ＳＣＲ；  Ｓｙｓｔｅｍ  Ｃｌｏｃｋ  Ｒｅｆｅｒｅｎｃｅ）が付加され、パケットヘッダには、いつ復号再生すべきかを示すタイム・スタンプと呼ばれる情報が付加されている。このタイム・スタンプには、ＰＴＳ（Ｐｒｅｓｅｎｔａｔｉｏｎ  Ｔｉｍｅ  Ｓｔａｍｐ）と呼ばれる再生出力の時刻管理情報と、ＤＴＳ（Ｄｅｃｏｄｉｎｇ  Ｔｉｍｅ  Ｓｔａｍｐ）と呼ばれる復号の時刻管理情報とが付加される。このＰＴＳ及びＤＴＳの精度は、ＭＰＥＧ２形式の場合９０ｋＨｚのクロックで計測した値を３３ビット長で表している。
【００１５】
一方、多重化部２４０の前に制御パック（Ｃパック）を生成するＣパック生成部２３０も設けられている。このＣパックも、図３に示すように、パックヘッダと１個以上のパケット部とで構成され、パケット部はパケットヘッダとパケット化されたデータ部とで構成されている。すなわち、Ｖパック等と同様に、ＳＣＲやタイム・スタンプも備えている。ＣパックがＶパック等と異なる点は、パケット化されたデータ部が空白（例えば、すべて０が記述）されている点である。
【００１６】
符号化されたＶパック、Ａパック及びＣパックは多重化部２４０で多重化され、ハードディスクドライブや光ディスクドライブ等のストレージ２５０にストリームデータ（シーケンシャルアクセスが可能なデータ）として記録される。ここで、Ｃパックは、符号化の単位によって等間隔に配置されるように多重化されていれば良い。すなわち、符号化がフレーム単位であれば１秒間に３０個の間隔で均等に配置されるように多重化され、符号化がフィールド単位であれば１秒間に６０個の間隔で均等に配置されるように多重化されていればよく、ＳＣＲやタイムスタンプも１秒間に３０個又は６０個の間隔で均等に配置されるようなＣパックの構造であれば良い。
【００１７】
（Ｃパックへの書き込み時）
動画コンテンツであるストリームデータに付加されたＣパックへのデータ書き込み方法を図４も用いて説明する。
統合デコーダ２６０は、Ｖデコーダ及びＡデコーダの他に、パケット化された情報を復号する時の基準となる同期情報信号を生成するための基準時計（ＳＴＣ；Ｓｙｓｔｅｍ  Ｔｉｍｅ  Ｃｌｏｃｋ）を有している。
【００１８】
ストレージ２５０に記録されたストリームデータは、統合デコーダ２６０でＶパック、Ａパック及びＣパックに分離される（Ｓ１１０）。そして、Ｖ及びＡパックは、パック内のＳＣＲによって時刻合わせされたＳＴＣと、ＰＴＳ等のタイムスタンプとに基づいてデコード（復号）され、復号されたＡＶデータがＡＶインターフェース３００経由でテレビ１２０に再生される（Ｓ１２０）。
【００１９】
一方、分離されたＣパックは、ＳＣＲの順にマイクロコンピュータ部４００のＲＡＭ４２０に記憶される（Ｓ１３０）。
そして、ユーザは、再生されているストリームデータに制御情報を書き込みしたい場合、赤外線リモコン３２０を用いて、ＦＩＲ（Ｆａｓｔ  ＩｎｆｒａＲｅｄ）インターフェース３１０経由で統合デコーダ２６０に復号再生処理の一時停止を命じ、ＯＳＤ（オン・スクリーン・ディスプレイ）２７０によって編集メニューがテレビ１２０に表示される。
【００２０】
この編集メニューには、予めユーザによって、テレビ１２０が置いてある部屋の環境形成装置のうち、ホームサーバが制御可能な電子機器が登録されている。例えば、図１の照明機器１４０、エアコン１５０、及び電動マッサージソファ１７０などである。そして、ユーザは、各機器のＯＮ，ＯＦＦ、例えば、照明の点滅、エアコンの冷房、ソファの振動等のＯＮ，ＯＦＦをリモコンで設定できる（Ｓ１４０）。
【００２１】
設定された制御データは、ＣＰＵ２８０が一時停止した時と同じＳＣＲのＣパックをメモリ２９０から検索する、すなわち、ＰＴＳで記録する適正なＳＣＲのあるＣパックを探すことによって、制御データ部（図３のＰａｃｋｅｔｓ  ｆｏｒ  Ｃｏｎｔｒｏｌ）に書き込まれる（Ｓ１５０）。ここで、環境形成装置がＩＰｖ６プロトコルに対応している場合にはこのプロトコル形式の制御データを書き込めばよい。
【００２２】
制御データが書き込まれたＣパックは、ストレージ２５０内の同じＳＣＲを有しているＣパックに上書き処理される。そして再び、一時停止したところからＡＶデータの再生を行う（Ｓ１６０）。
【００２３】
このような一連の書き込みを行うことによって、ユーザは、動画コンテンツをテレビ１２０に表示させながらリモコン３２０を使うことによって、その表示場面に応じた環境形成装置の制御をディスプレイに表示しながら調整できるので、ユーザはＭＰＥＧ２のファイル構造を知らなくても容易に環境形成装置の制御データを作成できる。
【００２４】
例えば、動画コンテンツが車に乗りながら撮影した風景画像の場合、日差しの強い時には照明機器をＯＮにしたり、雪道など寒い場所では冷房を入れたり、未舗装道路や荒地を走っている時には電動マッサージソファの振動をＯＮにすることを、動画コンテンツを表示しながらユーザが設定することができる。
【００２５】
（動画コンテンツの再生時）
制御データが書き込み済みＣパックを有する動画コンテンツの場合、ユーザからの再生指示に応じて、テレビ１２０に動画を再生すると同時に、書き込み済みのＣパックがマイクロコンピュータ部４００に入り、ＳＣＲに応じて、すなわち、再生画像と同期して、無線送信部５００から各環境形成装置用の無線受信部１６０へ制御データが送られ、各環境形成装置は再生画像に同期した臨場感のある視聴環境を提供することができる。なお、図１の電動マッサージソファには無線受信部が内蔵されていることを想定している。
【００２６】
例えば、動画コンテンツが車に乗りながら撮影した風景画像の場合、日差しの強い時には照明機器が点灯し、雪道など寒い場所では冷房が入り、未舗装道路や荒地を走っている時には電動マッサージソファの振動が入ることによって、ユーザは撮影時の環境を疑似体験することができる。
【００２７】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、照明機器１４０などの環境形成機器とホームサーバ１１０が無線ではなく、有線でデータ送信可能であってもよい。また、ホームサーバ１１０自体は、照明機器１４０などの環境形成機器及びテレビ１２０がある部屋と別の部屋にあってもよい。
【００２８】
【発明の効果】
上述したように本発明によれば、コンテンツを再生する際に、再生環境に応じた周辺機器の制御を容易に行うことが可能な装置を提供することができる。
【図面の簡単な説明】
【図１】本実施形態にかかるホームサーバが適用される部屋内の全体構成を示す概略図。
【図２】ホームサーバ１１０の概略構成図。
【図３】Ｃパックのデータ構造の概略図。
【図４】Ｃパックへの書き込み方法を示すフローチャート。
【符号の説明】
１１０  ホームサーバ
１２０  テレビ
１３０  スピーカー
１４０  照明機器
１５０  エアコン
１６０  無線受信部
１７０  電動マッサージチェア
２１０  Ｖエンコーダ
２２０  Ａエンコーダ
２３０  Ｃパック生成部
２４０  多重化部
２５０  ストレージ
２６０  統合デコーダ
２７０  ＯＳＤ（オン・スクリーン・ディスプレイ）
３００  ＡＶ  Ｉ／Ｆ
３１０  ＦＩＲ  Ｉ／Ｆ
３２０  赤外線リモコン
４００  マイクロコンピュータ部
４１０  ＣＰＵ
４２０  メモリ（ＤＲＡＭ）
５００  無線送信部
【図１】
2004229039.tif 000003
【図２】
2004229039.tif 000004
【図３】
2004229039.tif 000005
【図４】
2004229039.tif 000006